(57)【要約】【課題】家庭内の設備機器の集中管理や遠隔管理を行おうとした場合、従来は、新築時に、これらの管理用の配線を敷設して管理用機器を設置し、設備機器も、これらの管理に対応した、外部制御可能なものを設置する必要があったため、時間的にも、コスト的にも大きな負担を強いられるのが現状である。【解決手段】そこで本発明では、家屋の電力線１に、電力線通信手段を有する主制御装置４を接続すると共に、設備機器１１に対応して、電力線に設けた給電用接続器具１３に接続する入力側接続部１４と、設備機器を接続する負荷側接続部１５を備えた設備機器用中継器具１２を構成し、設備機器用中継器具には電力線通信手段と、設備機器制御手段を構成した電力線通信を利用した家庭内設備機器の管理システムを提案するものである。【選択図】　　　図１
2004088571.tif 000002
【特許請求の範囲】
【請求項１】
家屋の電力線に、電力線通信手段を有する主制御装置を接続すると共に、設備機器に対応して、電力線に設けた給電用接続器具に接続する入力側接続部と、設備機器を接続する負荷側接続部を備えた設備機器用中継器具を構成し、設備機器用中継器具には電力線通信手段と、設備機器制御手段を構成したことを特徴とする電力線通信を利用した家庭内設備機器の管理システム
【請求項２】
主制御装置には、通信回線との通信制御手段を構成すると共に、この通信回線を介して外部の通信端末機器からアクセス可能な設備機器制御手段と設備機器状態記憶手段を構成したことを特徴とする請求項１に記載の電力線通信を利用した家庭内設備機器の管理システム
【請求項３】
設備機器用中継器具に設備機器制御用の赤外線発光手段を構成したことを特徴とする請求項１又は２に記載の電力線通信を利用した家庭内設備機器の管理システム
【請求項４】
設備機器用中継器具に設備機器制御用の赤外線受光手段を構成したことを特徴とする請求項１又は２に記載の電力線通信を利用した家庭内設備機器の管理システム
【請求項５】
電力線に設けた給電用接続器具に接続可能な給電用接続部と、電力線通信手段を備えた集中操作器具を構成したことを特徴とする請求項１〜４までのいずれか１項に記載の電力線通信を利用した家庭内設備機器の管理システム
【発明の詳細な説明】
【０００１】
【発明の属する技術分野】
本発明は、電力線通信を利用した家庭内設備機器の管理システムに関するものである。
【０００２】
【従来の技術】
近来、家庭内の設備機器を集中的に管理したり、家庭内の設備機器を公衆通信回線（加入電話網）を介して外部から遠隔で管理することが行われつつある。
【０００３】
従来、このような集中管理や遠隔管理を行おうとした場合には、家屋等の新築時に、これらの管理用の配線を敷設して管理用機器を設置すると共に、設備機器も、これらの管理に対応した、外部制御可能なものを設置する必要があった。
【０００４】
【発明が解決しようとする課題】
即ち、従来は、既に建設された家屋や、既に設置された、外部制御ができない設備機器に対しては、上述した集中管理や遠隔管理を実現することが困難であり、それでも実現しようとする場合には、改築を行ったり、設備機器を交換したりする必要があり、時間的にも、コスト的にも大きな負担を強いられるのが現状である。
本発明はこのような課題を解決することを目的とするものである。
【０００５】
【課題を解決するための手段】
上述した課題を解決するために本発明では、家屋の電力線に、電力線通信手段を有する主制御装置を接続すると共に、設備機器に対応して、電力線に設けた給電用接続器具に接続する入力側接続部と、設備機器を接続する負荷側接続部を備えた設備機器用中継器具を構成し、設備機器用中継器具には電力線通信手段と、設備機器制御手段を構成したことを特徴とする電力線通信を利用した家庭内設備機器の管理システムを提案するものである。
【０００６】
また本発明では、上記の構成において、主制御装置には、通信回線との通信制御手段を構成すると共に、この通信回線を介して外部の通信端末機器からアクセス可能な設備機器制御手段と設備機器状態記憶手段を構成することを提案する。
【０００７】
また本発明では、以上の構成において、天井設置の設備機器用中継器具に設備機器制御用の赤外線発光手段又は赤外線受光手段を構成することを提案する。
【０００８】
また本発明では、以上の構成において、電力線に設けた給電用接続器具に接続可能な給電用接続部と、電力線通信手段を備えた集中操作器具を構成することを提案する。
【０００９】
本発明によれば、管理を行うべき設備機器に対応して、電力線に設けた給電用接続器具に接続する入力側接続部と、設備機器を接続する負荷側接続部を備えた設備機器用中継器具を構成し、設備機器用中継器具には電力線通信手段と、設備機器制御手段を構成しているので、設備機器自体は外部制御ができないものであっても、設備機器用中継器具によって外部制御が可能となる。
【００１０】
従って、既に建設され、設備機器も設置されている家屋であっても、家屋の電力線に、電力線通信手段を有する主制御装置を接続することにより、設備機器の集中管理、遠隔管理を可能とすることができる。
【００１１】
主制御装置に、通信回線との通信制御手段を構成すると共に、この通信回線を介して外部の通信端末機器からアクセス可能な設備機器制御手段と設備機器状態記憶手段を構成すれば、電話や携帯電話等の外部の通信端末機器により家屋内の設備機器を操作したり、あるいは動作状況を確認することができる。
【００１２】
また設備機器用中継器具に設備機器制御用の赤外線発光手段を構成することにより、赤外線制御の設備機器を制御することができ、また設備機器用中継器具に設備機器制御用の赤外線受光手段を構成することにより、赤外線制御の構成でない設備機器を、設備機器用中継器具を介して制御することができる。
【００１３】
また本発明では、電力線に設けた給電用接続器具に接続可能な給電用接続部と、電力線通信手段を備えた集中操作器具を構成することにより、この集中操作器具を適宜の給電用接続器具に接続して設備機器の操作等を行うことができる。
【００１４】
【発明の実施の形態】
次に本発明の実施の形態を図１〜図４を参照して説明する。
図１は全体の構成を概念的に示す系統説明図であり、符号１は電力会社から家屋に配線された電力線、２は受電場所、３は屋内配電盤を示すもので、この受電場所２には、屋内配電盤３よりも電力会社側に電力線通信手段を有する主制御装置４を設置する。
【００１５】
図２は主制御装置４の構成例を概念的に示す系統図であり、符号５は電力線通信の外部漏洩防止用の絶縁トランスであり、また符号６は電力線通信用のフィルターである。符号７はフィルター６を介して電力線１に接続した主制御回路であり、この主制御回路７は、マイクロコンピュータ等を利用して構成し、電力線通信による設備機器の制御や管理等を行う構成としている。この主制御回路７にはモデム８を介して公衆電話回線又は携帯電話等の通信回線９を接続する構成としている。
【００１６】
再び、図１において、符号１０は室内を示すもので、１１はその中に設置された設備機器を示すものである。設備機器１１の例として、１１ａはテレビジョン装置、１１ｂは照明器具である。これらの設備機器１１（１１ａ，１１ｂ，…）に対応して、設備機器用中継器具１２を構成している。この設備機器用中継器具１２は、電力線１に設けたコンセントやローゼット、シーリング等の給電用接続器具１３に接続する入力側接続部１４と、設備機器１１を接続する負荷側接続部１５を備えた構成であり、この設備機器用中継器具１２には、電力線通信手段と、設備機器制御手段を構成している。
【００１７】
図３、図４は設備機器用中継器具１２の例を示すもので、図３に示す設備機器用中継器具１２ａはコンセント型、図４に示す設備機器用中継器具１２ｂはローゼット型の器具であり、これらは入力側接続部１４ａ，１４ｂと出力側接続部１５ａ，１５ｂの構成が異なるものの、その他の構成は同様の構成である。
【００１８】
即ち、これらの設備機器用中継器具１２ａ，１２ｂは、入力側接続部１４ａ，１４ｂと出力側接続部１５ａ，１５ｂの間にＯＮ／ＯＦＦ制御用のリレー１６を設けると共に、このリレー１６を制御するための制御回路１７を構成し、この制御回路１７はフィルター１８を介して電力線１に接続すると共に、この制御回路１７に直流電圧を供給するための直流電源１９を構成している。この制御回路１７は、マイクロコンピュータ等を利用して構成し、電力線通信により上記主制御回路７と交信して上記リレー１６による設備機器１１の制御や、管理を行う構成としており、例えば、この例では、クランプコイル２０による電力線１を流れる電流のモニタリングと、赤外線発光器２１による設備機器１１の制御機能を構成している。
【００１９】
再び、図１において、符号２２は家屋の玄関等の場所を示すもので、この場所２２には、電力線１に設けた給電用接続器具１３ｃに接続可能な給電用接続部１４ｃと、電力線通信手段を備えた集中操作器具２３を構成している。
【００２０】
以上の構成においては、既に建設され、設備機器も設置されている家屋であっても、家屋の電力線１の、受電場所２に主制御装置４と絶縁トランス５等の必要な付帯機器を設置し、そして設備機器１１（１１ａ，１１ｂ）を、設備機器用中継器具１２ａ，１２ｂを介して電力線１に設けたコンセントやローゼット等の給電用接続器具１３ａ，１３ｂに接続することにより、設備機器１１自体は外部制御ができないものであっても、主制御装置４を介しての集中管理、遠隔管理を可能とすることができる。
【００２１】
主制御装置４と設備機器用中継器具１２ａ，１２ｂとの電力線通信は、従来から提案されている各種の手法を適用することができ、例えば、夫々の設備機器用中継器具１２ａ，１２ｂに対応してＩＤ情報を保持するように構成することにより、複数の設備機器１１を干渉なしに制御、管理することができる。
【００２２】
設備機器用中継器具１２ｂに設備機器制御用の赤外線発光手段２１を構成することにより、赤外線制御の設備機器、例えばテレビジョン装置１１ａを制御することができる。この設備機器用中継器具１２ｂは、図１に示すように、天井設置型とすることにより、室内１０の複数の設備機器１１を良好に制御することができる。
【００２３】
一方、設備機器用中継器具１２に設備機器制御用の赤外線受光手段（図示省略）を構成することにより、赤外線制御の構成でない設備機器１１でも、この設備機器用中継器具１２を介して制御することができる。
【００２４】
主制御装置４を介しての設備機器１１の制御、管理において、主制御装置４に、通信回線９との通信制御手段を構成し、この通信回線９を介して外部の通信端末機器、例えば携帯電話等からアクセス可能な設備機器制御手段と設備機器状態記憶手段を構成すれば、電話や携帯電話等の外部の通信端末機器により家屋内の設備機器１１を操作したり、あるいは動作状況を確認することができる。これらの通信制御手段、設備機器制御手段及び設備機器状態記憶手段は、マイクロコンピュータを利用した主制御回路７やモデム８を要素として容易に構成することができる。
【００２５】
一方、主制御装置４を介しての設備機器１１の制御、管理は、図１に示すように、家屋の玄関等の場所２２において、電力線１に設けた給電用接続器具１３ｃに給電用接続部１４ｃを以て接続した集中操作器具２３により行うこともできる。
【図面の簡単な説明】
【図１】本発明に係る電力線通信を利用した家庭内設備機器の管理システムの全体の構成を概念的に示す系統説明図である。
【図２】主制御装置の構成例を概念的に示す系統図である。
【図３】設備機器用中継器具の一例を概念的に示す系統図である。
【図４】設備機器用中継器具の他例を概念的に示す系統図である。
【符号の説明】
１　　　　　　　　　　　電力線
２　　　　　　　　　　　受電場所
３　　　　　　　　　　　屋内配電盤
４　　　　　　　　　　　主制御装置
５　　　　　　　　　　　絶縁トランス
６　　　　　　　　　　　フィルター
７　　　　　　　　　　　主制御回路
８　　　　　　　　　　　モデム
９　　　　　　　　　　　通信回線
１０　　　　　　　　　　室内
１１　　　　　　　　　　設備機器
１１ａ　　　　　　　　　テレビジョン装置
１１ｂ　　　　　　　　　照明器具
１２ａ，１２ｂ　　　　　設備機器用中継器具
１３ａ，１３ｂ，１３ｃ　給電用接続器具
１４ａ，１４ｂ，１４ｃ　入力側接続器具
１５ａ，１５ｂ　　　　　出力側接続器具
１６　　　　　　　　　　リレー
１７　　　　　　　　　　制御回路
１８　　　　　　　　　　フィルター
１９　　　　　　　　　　直流電源
２０　　　　　　　　　　クランプコイル
２１　　　　　　　　　　赤外線発光器
２２　　　　　　　　　　玄関等
２３　　　　　　　　　　集中操作器具
【図１】
2004088571.tif 000003
【図２】
2004088571.tif 000004
【図３】
2004088571.tif 000005
【図４】
2004088571.tif 000006